Podtech/llm-jp-corpus-v4-ja_patent huggingface dataset:
(57)【要約】【課題】  従来の印鑑は、印影の一致のみで正当な印鑑と認識される為、偽造されやすいという問題があった。【解決手段】  字面を外枠（１）と印字部（２）に分け、スプリング等の弾力材（３）及び印鑑固定部（４）で一体させ、押印時に印影と共に紙面に印字部の凹凸が生じることを特徴とする偽造防止の印鑑。【選択図】図１
2020185781.tif 000002
【特許請求の範囲】
【請求項１】
印鑑の偽造を防止する目的で、外枠（１）と印字部（２）を弾力材（３）及び印鑑固定部（４）で一体化させ、押印時に印影と共に紙面に印字部の凹凸が生じる印鑑。
【発明の詳細な説明】
【技術分野】
【０００１】  この発明は、用紙に印影だけでなく、印影の印字部に立体の凹凸を作る印鑑に関するものである。
【背景技術】
【０００２】  従来、印鑑は押印時に用紙に表示されるのは印影のみであった。
【先行技術文献】
【特許文献】
【０００３】
【特許文献１】特開  ２００５−６６８３７号公報
【発明の概要】
【発明が解決しようとする課題】
【０００４】  従来の印鑑は、印影の一致のみで正当な印鑑と認識される為、偽造されやすいという問題があった。
【課題を解決するための手段】
【０００５】  外枠（１）と印字部（２）をスプリング等の弾力材（３）及び印鑑固定部（４）によって一体化させる。本発明は、以上のような構成よりなる印鑑である。
【発明の効果】
【０００６】  従来の印鑑は、外枠があるため押印しても印字部は凹凸にならないが、本発明は外枠と印字部が分かれて時間差で別々に押印される。まず先に印字部だけが紙面に着き、その後、弾力材に押されて外枠が着くため、紙面には弾力材の圧力により印字部の鮮明な凹凸ができる。さらに印字部の周りのへこみ部分に個々の印鑑にそれぞれ違った凹凸を設けると紙面にできる凹凸も個々に異なったものとなる。そのため、紙面の裏面を見て、印字部に凹凸があるか無いか、また、たとえ凹凸があっても凹凸の形状が一致するか否かを照合することで、正当な印鑑か否かを識別できる。
印影だけでは真贋の判断がつきにくいときでも、明確な判断が可能となる。
【図面の簡単な説明】
【０００７】
【図１】  本発明の斜視図である。
【図２】  本発明の正面図である。背面図は正面図と同一にあらわれる。
【図３】  本発明のＡ−Ａ断面図である。
【図４】  本発明の左側面図である。右側面図は左側面図と同一にあらわれる。
【図５】  本発明の平面図である。
【図６】  本発明の底面図である。
【発明を実施するための形態】
【０００８】  以下、本発明を実施するための形態について説明する。
外枠（１）と印字部（２）をスプリング等の弾力材（３）及び印鑑固定部（４）によって一体化させる。本発明は、以上のような構造である。
これを使用するときは、まず、朱肉の上に印鑑を置き、印字面の外枠に朱肉が付きまで外枠の上部を押す。朱肉が印字面の印字部と外枠に付いたのを確認したら、捺印マットの上に用紙を置き、朱肉を付けたときと同様、印字面の外枠が紙面に着き、朱肉が写るまで外枠の上部を強く押す。
【符号の説明】
【０００９】  １外枠
２印字部
３弾力材
４印鑑固定部
【図１】
2020185781.tif 000003
【図２】
2020185781.tif 000004
【図３】
2020185781.tif 000005
【図４】
2020185781.tif 000006
【図５】
2020185781.tif 000007
【図６】
2020185781.tif 000008
【手続補正書】
【提出日】令和1年5月31日(2019.5.31)
【手続補正１】
【補正対象書類名】明細書
【補正対象項目名】０００８
【補正方法】変更
【補正の内容】
【０００８】  以下、本発明を実施するための形態について説明する。
外枠（１）と印字部（２）をスプリング等の弾力材（３）及び印鑑固定部（４）によって一体化させる。本発明は、以上のような構造である。
これを使用するときは、まず、朱肉の上に印鑑を置き、印字面の外枠に朱肉が付くまで外枠の上部を押す。朱肉が印字面の印字部と外枠に付いたのを確認したら、捺印マットの上に用紙を置き、朱肉を付けたときと同様、印字面の外枠が紙面に着き、朱肉が写るまで外枠の上部を強く押す。
(57)【要約】      （修正有）【課題】特に着物を着たときに便利な、帯やベルトなどに挟みこんで懸架するタイプの振り分けポーチを提供する。【解決手段】帯８の内側に折り畳み可能なシートの一部を差し込む収納ポーチであって、内側及び外側からなる折り畳み可能なシート２からなり、少なくとも帯の外側にくるシート部分に１つ又は２つ以上の収納部分３ａ、３ｂ、６ａを有する振り分け型収納ポーチ。【選択図】図３
2020185274.tif 000002
【特許請求の範囲】
【請求項１】
帯の内側に折り畳み可能なシートの一部を差し込む収納ポーチであって、内側及び外側からなる折り畳み可能なシートからなり、少なくとも帯の外側にくるシート部分に１つ又は２つ以上の収納部分を有する振り分け型収納ポーチ。
【発明の詳細な説明】
【技術分野】
【０００１】
本発明は、特に着物を着たときに便利な、帯やベルトなどに挟みこんで懸架するタイプの振り分け型収納ポーチに関する。
【背景技術】
【０００２】
一般に、洋服のズボンやスカートなどでは、ポケットに入りきらない小物を保持するためにウエストポーチやシザーズバッグなどが使われている。これらの多くはベルトに取り付けるか専用のベルトで固定している。
【０００３】
ベルトをしない場合、ズボンやスカートにクリップで留めるタイプの財布（特許文献１）や、骨盤に沿うように弓形に凹ませたプラスチック板製の挟持板と道具入れを取り付ける取付部材からなり、挟持板をズボンの内側に差し込むタイプのウエスト掛留具（特許文献２）が提案されている。
【０００４】
一方、和服、特に着物には物を入れるためのポケットのような収納部分がなく、財布やスマートフォンなどを帯の間や懐、袖（袂）に入れるか、巾着や信玄袋などの小ぶりの袋に入れて持ち歩いている。そうした現状に対して、帯を包み込むように取り付ける小物入れが提案されている（特許文献３）。
【先行技術文献】
【特許文献】
【０００５】
【特許文献１】特開平１１−１５１１１２号公報
【特許文献２】特許第３４３７５５１号明細書
【特許文献３】特開２００８−１３６６４８号公報
【発明の概要】
【発明が解決しようとする課題】
【０００６】
本発明は、手ぬぐいを帯に差し込んで留めるような（あたかも振り分け荷物を担ぐような）簡単な作業でかつ体にフィットする収納ポーチを提供する。
【０００７】
また、本発明は、外側部分だけでなく内側にも収納スペースを設けることができ、貴重品などを収納することができる収納ポーチを提供する。
【課題を解決するための手段】
【０００８】
本発明の振り分け型収納ポーチは、帯の内側に折り畳み可能なシートの一部を差し込む収納ポーチであって、内側及び外側からなる折り畳み可能なシートからなり、少なくとも帯の外側にくるシート部分に１つ又は２つ以上の収納部分を有する。
【０００９】
本発明の振り分け型収納ポーチ（以下、「振り分けポーチ」という）は、折り畳み可能なシートが１枚の布製のシートであってもよい。
【００１０】
また、本発明の振り分けポーチは、折り畳み可能なシートが複数の材料のシートをつなぎ合わせたシートであってもよい。
【００１１】
また、本発明の振り分けポーチは、複数の収納部分（以下、ポケットということもある）を有することが好ましい。
【００１２】
また、本発明の振り分けポーチは、帯の内側にくる部分に１または複数のポケットを有することが好ましい。
【００１３】
また、本発明の振り分けポーチは、前記ポケットの口部にファスナーが設けられていることが好ましい。
【００１４】
また、本発明の振り分けポーチは、前記折り畳み可能なシートに折りたたむ箇所を示す山折り部を設けてもよい。
【発明の効果】
【００１５】
本発明の振り分けポーチによれば、携帯電話やスマートフォン、財布、カード入れ等の現代では必需の小物を簡単に収納でき、しかも、巾着や信玄袋などの場合とは異なり両手を自由に使うことができ、また、肩掛け鞄のように鞄の部分が移動することもなく、極めてスマートにかつ便利に小物を収納することができる。
【図面の簡単な説明】
【００１６】
【図１】本発明の振り分けポーチの好ましい実施形態の概略平面図である。
【図２】図１に示す本発明の振り分けポーチの好ましい実施形態の概略側断面図である。
【図３】図１に示す本発明の振り分けポーチの好ましい実施形態を帯に取り付けたときの概略図である。
【発明を実施するための形態】
【００１７】
図１〜図３に基づき、本発明の好ましい実施形態を説明する。
図１は本発明の振り分けポーチの好ましい実施形態の概略平面図であり、図２は、図１に示す本発明の振り分けポーチの好ましい実施形態の概略側断面図である。図３は、図１に示す本発明の振り分けポーチの好ましい実施形態を帯に取り付けたときの概略図である。
【００１８】
本発明の好ましい実施形態の振り分けポーチ１は、帯８の内側と外側に、帯８を挟んで振り分けるタイプの収納ポーチであって、折り畳み可能なシート２、５からなり、少なくとも帯の外側にくる部分２に１つ又は２つ以上の収納部分（ポケット）３ａ、３ｂを有する。
【００１９】
帯８の内側にくるシート５には、ポケットを設けなくてもよいが、外側シート２で隠れて盗難などの危険性が小さいことから、貴重品（財布など）を入れるポケット６ａを設けてもよい。図示していないが、シート５には体側に長めのポケットを設けて、長財布やパスポートなどを収納してもよい。
【００２０】
ポケットの数は特に制限がないが、多くなり過ぎると収納品が多くなり厚くなってしまうので、用途と好みで決めればよい。
【００２１】
図示していないが、ポケット３ａ、３ｂ、６ａのいずれか又は全部の口部に、中身を保護するなどのためにファスナーを設けてもよい。
【００２２】
ポケット３ａ、３ｂ、６ａの大きさや形状、深さは想定される小物に応じて適宜決めればよい。
【００２３】
折り畳み可能なシート２、５は１枚のシートからなっていてもよいし、２枚以上のシートを繋いで作製してもよい。いずれの場合も、折り畳む位置を決めておくのが好ましく、たとえば山折り部４を設けてもよい。
【００２４】
さらに、図示されていないが、シート５の外側（体側）にベルト通しを設けると、ズボンなどの場合でもベルトに通すことで洋服の場合の小物入れとしても使用できる。
【００２５】
本発明の振り分けポーチは、織布、不織布、編布、プラスティックシートなど、可撓性と適度の柔軟性のある材料であれば特に限定されない。また、各部分の材料も同一であっても異なっていてもかまわない。
【００２６】
装着の仕方は、内側シート５を帯８の内側（体側）に差し込み、ポーチ１の内部空間７に帯８が収まるようにするだけで固定できる。
【００２７】
その他、本発明の趣旨を損なわない限り、当業者にとって自明な範囲での変更・変形が可能であり、それらも本発明の範囲に属する。
【符号の説明】
【００２８】
１  振り分けポーチ
２  外側シート
３ａ、３ｂ、６ａ  ポケット
４  山折り部
５  内側シート
７  内部空間
８  帯
【図１】
2020185274.tif 000003
【図２】
2020185274.tif 000004
【図３】
2020185274.tif 000005
(57)【要約】【課題】自分が実際に使用するドライバーやアイアン等のゴルフクラブでスイングの練習に好適なスイング用錘を提供する。【解決手段】らせん状の本体と、前記本体の両端にそれぞれ設けられた留め部と、で構成され、前記本体と前記留め部とが一体的に形成されており、前記本体の太さよりも前記留め部の幅のほうが大きいこと、を特徴とするスイング用錘。【選択図】図１
2020185225.tif 000002
【特許請求の範囲】
【請求項１】
らせん状の本体と、前記本体の両端にそれぞれ設けられた留め部と、で構成され、
前記本体と前記留め部とが一体的に形成されており、
前記本体の太さよりも前記留め部の幅のほうが大きいこと、
を特徴とするスイング用錘。
【請求項２】
前記留め部が略球状であること、を特徴とする請求項１に記載のスイング用錘。
【請求項３】
樹脂又はゴムで形成されていること、を特徴とする請求項１又は２に記載のスイング用錘。
【発明の詳細な説明】
【技術分野】
【０００１】
本発明は、ゴルフクラブ等のスイングの練習に使用するためのスイング用錘に関する。
【背景技術】
【０００２】
従来、ゴルフクラブ等スイングを練習するために様々な練習器具が用いられており、例えば、ゴルフクラブを模した棒状のゴルフスイング練習器具が知られている。
【０００３】
例えば、特許文献１（特開２００２−２０４８４５号公報）においては、表面に握り部分としてのグリップ部を有する剛性シャフト部と、シャフト部の先端から延び、可撓性と共に略直線状態への復元弾性を有する振り子部とを有するゴルフスイング練習器具が開示されている。
【先行技術文献】
【特許文献】
【０００４】
【特許文献１】特開２００２−２０４８４５号公報
【発明の概要】
【発明が解決しようとする課題】
【０００５】
しかしながら、上記特許文献１のゴルフスイング練習器具は、非常に柔らかい弾性素材で構成されたものであるため、当該ゴルフスイング練習器具は、クラブやアイアンに見立てて素振りを行い、スイング感覚を多少感じるに過ぎず、実際に使用するドライバーやアイアン等のゴルフクラブとは感覚が異なる。
【０００６】
そこで、本発明の目的は、自分が実際に使用するドライバーやアイアン等のゴルフクラブでスイングの練習に好適なスイング用錘を提供することにある。
【課題を解決するための手段】
【０００７】
上記の課題を解決すべく、本発明は、
らせん状の本体と、前記本体の両端にそれぞれ設けられた留め部と、で構成され、
前記本体と前記留め部とが一体的に形成されており、
前記本体の太さよりも前記留め部の幅のほうが大きいこと、
を特徴とするスイング用錘、
を提供する。
【０００８】
上記の本発明のスイング用錘においては、前記留め部が略球状であること、が好ましい。
【０００９】
また、上記の本発明のスイング用錘は、樹脂又はゴムで形成されていること、が好ましい。
【発明の効果】
【００１０】
本発明のスイング用錘は、自分が実際に使用するドライバーやアイアン等のゴルフクラブのシャフトにおいて、いずれの部分にも着脱自在であり、かつ、スイングしても両端の留め部によって移動しない。そのため、バランスを可変させることができ、また、特定の位置にスイング用錘を固定でき、自分のゴルフクラブで自分に合ったスイング用錘の位置を効果的に発見することができる。
【図面の簡単な説明】
【００１１】
【図１】本発明の一実施形態に係るスイング用錘の正面図である。
【図２】図１に示すスイング用錘の平面図である。
【図３】本発明のスイング用錘のサンプルの写真である。
【発明を実施するための形態】
【００１２】
以下、本発明に係るスイング用錘の代表的な実施形態を、図１〜図３を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１３】
図１及び２に示すように、本発明の一実施形態に係るスイング用錘１は、らせん（スパイラル）状の本体２と、本体２の両端にそれぞれ設けられた略球状の留め部４ａ，４ｂと、で構成され、本体２と留め部４ａ，４ｂとが一体的に形成されている。
【００１４】
そして、本体２の太さをＸとし、留め部４ａ，４ｂの幅をＹとした場合（但し、単位は同じ）、関係式：Ｘ＜Ｙを満たし、本体２の太さよりも留め部の幅４ａ，４ｂのほうが大きい構成を有し、また、スイング用錘１全体が樹脂（例えばエラストマー）又はゴム（例えばシリコーンゴム）で形成されている。
【００１５】
また、平面図でみた場合に、両端の留め部４ａ，４ｂは、互いに対向する位置に設けられている。このように、本実施形態のスイング用錘１は、極めてシンプルな構造を有している。
【００１６】
本実施形態のスイング用錘１は、このようなシンプルでかつ機能的な構成を有することから、自分が実際に使用するドライバーやアイアン等のゴルフクラブのシャフトにおいて、いずれの部分にも着脱自在であり（図３参照）、かつ、スイングしても両端の留め部４ａ，４ｂによって滑って移動することがない。
【００１７】
そのため、自分のゴルフクラブ等においてバランスや重心を可変させることができ、また、特定の位置にスイング用錘１を固定でき、自分のゴルフクラブで自分に合ったスイング用錘１の位置を効果的に発見することができる。
【００１８】
なお、スイング用錘１の各部の寸法は、所望するスイング用錘１の重さ（例えば２０ｇ、３０ｇ又は５０ｇ）に鑑みて、本発明の効果を損なわない範囲で適宜決定すればよい。
【００１９】
なかでも、平面図でみた場合の本体２の内部空間の径（内径）が、ゴルフクラブのシャフトの最小径よりも小さいのが好ましい。また、留め部４ａ，４ｂの大きさについては、平面図でみた場合に、本体２の内部空間内に及ぶほどの大きさであるのが好ましい。これらにより、スイング用錘１を装着してスイングしても、両端の留め部４ａ，４ｂによって、スイング用錘１が滑りにくく移動しにくい。
【符号の説明】
【００２０】
１・・・スイング用錘、
２・・・本体、
４ａ，４ｂ・・・留め部。
【図１】
2020185225.tif 000003
【図２】
2020185225.tif 000004
【図３】
2020185225.tif 000005
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
らせん状の本体と、前記本体の両端にそれぞれ設けられた略球状の留め部と、で構成され、
前記本体と前記留め部とが一体的に形成されており、
前記本体の太さをＸとし、前記留め部の幅をＹとした場合に、関係式：Ｘ＜Ｙ（但し、単位は同じ）を満たし、前記本体の太さよりも前記留め部の幅のほうが大きく、
全体が樹脂又はゴムで形成されていること、
を特徴とするスイング用錘。
(57)【要約】【課題】ブレーキとアクセルの踏み間違いによる事故の防止【解決手段】底まで踏み込むと、アクセル機能が取り消され、替わってブレーキがかかるペダルを作る。【選択図】なし【特許請求の範囲】
【請求項１】
自動車用ブレーキ兼用アクセルペダル
【発明の詳細な説明】
【技術分野】
【０００１】底まで踏み込むと、アクセル機能が取り消され、替わってブレーキがかかるペダル。
【発明の概要】
【発明が解決しようとする課題】ブレーキとアクセルの踏み間違いによる事故の防止
【課題を解決するための手段】底まで踏み込むと、アクセル機能が取り消され、替わってブレーキがかかるペダルを作る。
【発明の効果】ブレーキのつもりでアクセルを踏み込むと、ブレーキがかかる。
(57)【要約】【課題】従来の自転車ハンドルカバーは、内部が主に毛のような構造になっており、一度濡れると保温効果が著しく低下した。【解決手段】本発明は、上記課題を解決するため気泡緩衝材のような断熱効果のある気体もしくは液体を封入した素材を筒状にし、一方に簡易に留められるマジックテープなどの固定部分を接続した自転車ハンドルカバーを提供するものである。【選択図】図２
2020185979.tif 000002
【特許請求の範囲】
【請求項１】
気泡緩衝材のような断熱効果のある気体もしくは液体を封入した素材を筒状にし、一方に簡易に留められるマジックテープなどの固定部分を接続した自転車ハンドルカバー。
【発明の詳細な説明】
【技術分野】
【０００１】  本発明は、自転車のハンドルカバーに関するものである。
【背景技術】
【０００２】  従来の自転車ハンドルカバーは、内部が主に毛のような構造になっており、一度濡れると保温効果が著しく低下した。
【発明の概要】
【発明が解決しようとする課題】
【０００３】  従来の自転車ハンドルカバーは、内部が主に毛のような構造になっており、一度濡れると保温効果が著しく低下することを改善することを目的とする。
【課題を解決するための手段】
【０００４】  そこで、本発明は、上記課題を解決するため気泡緩衝材のような断熱効果のある気体もしくは液体を封入した素材を筒状にし、一方に簡易に留められるマジックテープなどの固定部分を接続した自転車ハンドルカバーを提供するものである。
【発明の効果】
【０００５】  本発明は、素材が水滴などを吸収せず自然に排出されるため、内部は濡れず乾燥した状態を維持できる。また、断熱効果のある気体や液体が注入されているため内部が冷たくならない。それに以前の構造より柔らかい素材のため、縮ませる事が出来るためハンドルの中心に寄せれば、ハンドル内部の温度調節も容易に出来るようになった。また、素材、構造が簡易なため以前のハンドルカバーより安価に製造できる。実際に出願人が数年に渡り実証済みである。
【図面の簡単な説明】
【０００６】
【図１】本発明の構造外観図
【図２】本発明を自転車に取り付けた図
【図３】本発明を縮ませた図
【符号の説明】
【００７】  １  本体
２  マジックテープなどの固定部分
【図１】
2020185979.tif 000003
【図２】
2020185979.tif 000004
【図３】
2020185979.tif 000005
(57)【要約】      （修正有）【課題】従来の方法は部分的に固定されたカバーを付け作業者の注意を喚起する程度であり十分な保護機能が働かず安全とは云い難かった物を解消する保護カバーを提供する。【解決手段】小型の原動機工具に取り付ける動力変換器０１の回転接続部の安全カバーとして、動力変換器の外周部に保護カバー０６を自在場所において固定出来る様構成し、動力変換器を小型の原動機工具に取り付ける際には保護カバーを先端部に移動し原動機工具のチャック０４に接続後保護カバーを原動機工具の静止部分０５に被せる様に移動し固定する。【選択図】図１
2020006498.tif 000002
【特許請求の範囲】
【請求項１】
原動機工具のチャックに依り動力変換器の駆動軸を把握し回転動力を伝達する接続部を保護するために動力変換器の外周に、把握部と端部を持つ保護カバーを配設し保護カバー把握部に、動力変換器外周との間にバネ用空洞部を設け内部にコイルバネを配設しこのコイルバネを動力変換器の外周に巻きつけ、コイルバネの一端をバネ用空洞部内に固定し他端は開放して置き、保護カバーが動力変換器の任意の位置に在る時保護カバーをバネの緩み方向に捻りながら保護カバーを移動させ任意の位置に移動停止させる事が出来る構造を有する保護カバー
【請求項２】
コイルバネを動力変換器の外周に巻きつけ、コイルバネの自由端を保護カバー把握部に設けた窓より突出させた請求項１記載の構造を有する保護カバー
【発明の詳細な説明】
【技術分野】
【０００１】  主として手作業に用いる小型のドライバードリルやエアードライバー等の原動機工具に取り付ける工具用アタッチメントやアダプタアーと原動機工具との間の回転接続部の安全カバー
【背景技術】
【０００２】  作業の安全性の向上の為、多種の原動機工具に簡単に対応出来、且、確実に固定できる安価な方法が求められている
【先行技術文献】
【特許文献】
【０００３】
【特許文献１】特開２０１８−９１１８８  軸継手カバー及びそれを備えるポンプ装置
【特許文献２】特開２０１６−１０９２０１  シール構造
【発明の概要】
【発明が解決しようとする課題】
【０００４】  従来の方法は部分的に固定されたカバーを付け作業者の注意を喚起する程度であり十分な保護機能が働かず安全とは云い難かった物を解消する事に有る
【課題を解決するための手段】
【０００５】  工具用アタッチメントやアダプタアー（以下この双方を「動力変換器」と一括して記述する）を小型の原動機工具に取り付ける回転接続部の安全カバーとして、動力変換器の外周部に保護カバーを自在場所において固定できるよう構成し、動力変換器を小型の原動機工具に取り付ける際には保護カバーを先端部に移動し原動機工具のチャックやソケット（以下、チャックと総称する）に接続後、保護カバーを原動機工具の静止部分に被せる様に移動し固定する
【発明の効果】
【０００６】  現状では前記接続部は手が届き難い様な形状の保護カバーを用いられているが完全に覆われて居ない為、操作者が常に意識して居なければ成らず安全上問題であるがこの点解消される
【図面の簡単な説明】
【０００７】
【図１】側断面説明用模式図
【図２】バネ取り付け説明模式図
【発明を実施するための形態】
【０００８】  アタッチメントやアダプタアーは回転動力を「押す・引く」為の推力や「正・逆転」等の変換を行うことが多い為、動力変換器と記載するが、この為には原動機工具のチャックに依り動力変換器の駆動軸を把握し、回転動力を伝達するが、この駆動軸を把握して居る接続部の保護が必要である
この為、把握して居る時には保護カバーを取り外す事無く、動力変換器に取り付けたまま移動出来る様に、コイルバネを保護カバー把握部内に配設しバネの巻き付く力により保護カバーを固定する物で動力変換器の外形は円筒形が望ましい
動力変換器の外径よりコイルバネの内径を少し小さくして一端を保護カバーに固定し他端を自由にすると、コイルバネの性質上、自由端部を巻き方向に押すとコイルバネは緩み巻きつく力が小さくなり、逆方向に引くとコイルバネは巻き付く力が大きくなり固定される
【０００９】  全ての実施例に於いて、コイルバネ０８・０８’に付いては線径・巻き径・ピッチ・固定方法等は状況に依って変化するしコイルバネだけでは無く、図示して居ないがバネの外周に軟質材を巻き、より摩擦力を高めることも有る、この場合の他にもコイルバネ０８・０８’の巻き付が不十分な場合はコイルバネ０８・０８’を更に別のバネで引く事も出来るので構造を特定する物では無い
更に保護カバー０６の外形も特定した物では無く、チャック０４や原動機工具静止部０５の大きさに依っては図示して居ないが、保護カバー０６に他の保護カバーを被せ多重構造とする事が出来る
勿論つまみの形状は自由である
【発明の実施例１】
【００１０】  前記形態を実施する為に第１図に於いて、動力変換器０１の外周に、保護カバー把握部０７と保護カバーの端部０６ａを持つ保護カバー０６を配設し保護カバー把握部０７に、動力変換器０１の外周との間にバネ用空洞部０９を設け内部にコイルバネ０８を配設し動力変換器０１の外周に巻きつけ、コイルバネ０８の一端を第２図「イ・ロ」のバネ用空洞部０９内に設けた固定部０９ｚに固定し他端は開放しておく
保護カバー把握部０７を前端部０７ａの位置に置き、この状態で駆動軸０２をチャック０４で把握し、その後保護カバー０６をバネの緩み方向に捻りながら保護カバーの端部０６ａを原動機工具静止部０５に被せ取り付ける
若し、チャック０４が長い場合は、保護カバー把握部０７の位置を中間部０７ｂに停止させる事が出来る
【発明の実施例２】
【００１１】  前項の内容の操作を更に容易にする為、第２図「ロ」は、同図「イ」のＡ・Ａ’視断面図で有り、第１図の保護カバー把握部０７に保護カバー窓１１を明け保護カバー窓１１からコイルバネ０８の自由端をつまみ部１０として突出させた物で、つまみ部１０をコイルバネの固定部０９Ｚに向けて押す事に拠りコイルバネを緩め、押している間は保護カバー０６を自由に移動させることが出来る
【発明の実施例３】
【００１２】同様に第２図「二」は、同図「ハ」のＢ・Ｂ’視断面部分拡大図で有り、コイルバネを２個使用した例で、一本のコイルバネ０８の中間部で切断し、切断端の両方を同じ方向に曲げた物でコイルバネ０８と０８’とし、曲げた所をつまみ１０と１２とし保護カバー窓１１から突出させ、バネの固定部０９Ｚはバネの最も外側の両端部に設置する（図示せず）
つまみ部１０・１２はコイルバネ０８と０８’の自由端で有る事から、お互いを近付ける方向に摘まむ事により２個のコイルバネ０８と０８’の双方が緩められる様に配設し、摘まむ事により保護カバー０６は自由に移動させることが出来る
つまみ部１０・１２を開放して居る時は、バネの向きに拠りどちら側にも回転しない為確実に固定される
【符号の説明】
【００１３】０１  動力変換器          ０２  駆動軸            ０３  被動軸
０４  チャック            ０５  原動機工具静止部  ０６  保護カバー
０７  保護カバー把握部    ０８  コイルバネ        ０９  バネ用空洞部
１１  保護カバー窓
【図１】
2020006498.tif 000003
【図２】
2020006498.tif 000004
(57)【要約】【課題】ワークのストッカー構造のコンパクト化が可能で、ローディング操作が容易なワークのローディング方法の提供を目的とする。【解決手段】ＮＣ工作機械のワークのローディング方法であって、ワークをチャックするハンド部と、前記ハンド部を上下移動させる上下レール部と、前記ハンド部の移動量を制御するための駆動装置を備え、前記駆動装置は送りモータの出力トルクに制限をかけた状態で負荷を監視しながら前記ハンド部をワークに押し当てることでワークの位置を検出することを特徴とする。【選択図】  図１
2020006476.tif 000002
【特許請求の範囲】
【請求項１】
ＮＣ工作機械のワークのローディング方法であって、
ワークをチャックするハンド部と、前記ハンド部を上下移動させる上下レール部と、前記ハンド部の移動量を制御するための駆動装置を備え、
前記駆動装置は送りモータの出力トルクに制限をかけた状態で負荷を監視しながら前記ハンド部をワークに押し当てることでワークの位置を検出することを特徴とするワークのローディング方法。
【請求項２】
前記ハンド部が水平方向に移動する走行レールを有し、ワークを複数段に積み上げたワークストッカーから前記ＮＣ工作機械の加工領域に順次ワークを引き渡すことを特徴とする請求項１記載のワークのローディング方法。
【請求項３】
前記ハンド部は開閉制御された複数のチャックを有し、前記複数のチャックが出力トルクに制限をかけた状態で負荷を監視しながらワークのチャックを行うことを特徴とする請求項１又は２記載のワークのローディング方法。
【発明の詳細な説明】
【技術分野】
【０００１】
本発明は、ワークを工作機械の加工領域内にローディングする方法に関し、加工完成品を工作機械の外部にアンローディングする場合も含む。
【背景技術】
【０００２】
ＮＣ装置にて、ＮＣ制御された工作機械にワークを搬入及び搬出するのにローダ装置が工作機械と一体的に構成されたものが例えば特許文献１に開示されている。
従来は、図２に示すようにローダ１０２のワークＷをチャックする高さ（位置）が一定であり、ワークを段積した場合に最上段のワークの高さを検出し、ワーク台１０１を上下方向に高さ調整していた。
これでは、ワーク台の高さ調整機構やワークの検出器等が必要となるため、ストッカーをコンパクト化するのが難しかった。
【先行技術文献】
【特許文献】
【０００３】
【特許文献１】特開２０１６−１７５１５４号公報
【発明の概要】
【発明が解決しようとする課題】
【０００４】
本発明は、ワークのストッカー構造のコンパクト化が可能で、ローディング操作が容易なワークのローディング方法の提供を目的とする。
【課題を解決するための手段】
【０００５】
本発明に係るワークのローディング方法は、ＮＣ工作機械のワークのローディング方法であって、ワークをチャックするハンド部と、前記ハンド部を上下移動させる上下レール部と、前記ハンド部の移動量を制御するための駆動装置を備え、前記駆動装置は送りモータの出力トルクに制限をかけた状態で負荷を監視しながら前記ハンド部をワークに押し当てることでワークの位置を検出することを特徴とする。
この場合に、ハンド部が水平方向に移動する走行レールを有し、ワークを複数段に積み上げたワークストッカーから前記ＮＣ工作機械の加工領域に順次ワークを引き渡すのが好ましい。
本発明は、ローディング方法として説明するが、加工完成品を工作機械から完成品ストッカーに搬出するアンローディングにも適用でき、本発明に含まれる。
【０００６】
本発明において、ハンド部は開閉制御された複数のチャックを有し、前記複数のチャックが出力トルクに制限をかけた状態で負荷を監視しながらワークのチャックを行うようにしてもよい。
このようにすると、ワークの大きさが異なる場合にあっても、それを自動検知し連続的に対応できる。
【発明の効果】
【０００７】
本発明に係るワークのローディング方法にあっては、工作機械にローダ装置が組み込まれていて、ＮＣ制御されている。
ハンド部がサーボモータ等の送りモータにより、その出力トルクを制御した状態で負荷を監視しながらワークに押し当てられるので、ハンド部がワークの位置（高さ）を自動的に検知する。
よって、ワークがストッカーに多段積されていても最上段のワークを順次自動検知しながらチャックするので、ストッカーの構造が簡単になる。
また、ＮＣ装置によりハンド部の位置が検出されているので、その後のワークの搬送が容易になる。
【図面の簡単な説明】
【０００８】
【図１】（ａ）はローダ装置の構成例を示し、（ｂ）は段積されたワークの高さを自動検知する状態を示す。
【図２】従来のローディング方法を示す。
【発明を実施するための形態】
【０００９】
本発明に係るワークのローディング方法の例を以下図に基づいて説明する。
工作機械の本体部の上部に図１に示した走行レール１１が取り付けられている。
走行レール１１に沿って水平方向に移動するローダ装置を備え、ローダ装置は下端部にハンド部１４を有する上下レール１２が上下移動し、その移動量を制御する駆動装置１３を有する。
駆動装置１３は、ハンド部１４が水平方向に移動するサーボモータ（水平方向の送りモータ）と、上下方向に移動するサーボモータ（上下方向の送りモータ）を有している。
ハンド部１４は、ワークをチャックするための複数のチャック（第１チャック１４ａ，第２チャック１４ｂ）を有する。
【００１０】
ハンド部１４は、図１（ｂ）に示すようにサーボモータに出力トルクの制限をかけながら、その負荷を監視しながら下降する。
ハンド部１４のチャック１４ａ，１４ｂの内側（間）が最上段のワークＷ１の上面に押し当たる。
この状態を自動検知することで、ワークＷ１の位置が検出される。
次に複数のチャックが閉じ、ワークを掴み、ハンド部１４が上昇し、走行レール１１に沿ってワークを搬送し、工作機械の加工領域に有する旋盤等の主軸側に引き渡される。
これにより、図１（ｂ）に示したように例えば５つのワーク（Ｗ１〜Ｗ５）が段積みされていても順次、ワークの高さＷ４，Ｗ５を自動検知しながら搬送できる。
また、ワークがなくなった場合には、ＮＣ装置の位置座標にて検出することもできる。
【００１１】
ハンド部１４に設けた複数のチャック、例えば第１チャック１４ａ，第２チャック１４ｂの開閉をサーボモータにて制御してもよい。
この場合に、チャックが閉じる方向の送りに出力トルクを制限した状態で負荷を監視しながらチャックを閉じると、その負荷の変化を検出することで幅の異なるワークを自動検知しながらチャック保持することもできる。
【符号の説明】
【００１２】
１１      走行レール
１２      上下レール
１３      駆動装置
１４      ハンド部
１４ａ    第１チャック
１４ｂ    第２チャック
１０１    ワーク台
１０２    ローダ
【図１】
2020006476.tif 000003
【図２】
2020006476.tif 000004
(57)【要約】      （修正有）【課題】持ちやすく、食べやすく、さらに処分までしやすい、串を提供すること。【解決手段】竹または木からなる串本体１に、切れ目２ａ、２ｂを設け、また串本体１の一端側に、持ち手を設けることで、持ち手つきの串を構成する。この構成により、肉を串に刺すときに、刺しやすく、また処分するときも、折って小さくすることで、処分しやすくなる。また、持ち手を持って食するときも、切れ目に従って、先端を折ることで、のどにつかえる心配もなく、口元を汚すこともなくなる。【選択図】図１
2020006123.tif 000002
【特許請求の範囲】
【請求項１】
本体の軸に切れ目を数カ所設けた切れ目付き串。
【発明の詳細な説明】
【技術分野】
【０００１】  本発明は、普通の竹串、または持ち手付竹、または木の串に数カ所に切れ目を入れて、食べやすくし、さらに処分までしやすくした折れ目付き竹串である。
【背景技術】
【０００２】  従来の物には持ち手がなかった。
さらに切れ目が多いことにより肉を刺すときの強度が弱くなる。【０００３】
【特許文献１】登録実用新案第３０１９２４３号公報
【発明の概要】
【発明が解決しようとする課題】
【０００４】  それには、次のような問題点があった。
切れ目が多いことと、使用後の処分のときのことにふれていないことである。
本発明は、これらのような問題点を解決するためになされたものである。
【課題を解決するための手段】
【０００５】  本体に切れ目を１カ所、または２カ所にして肉を刺しやすくし、また、処分するときも小さくなるので捨てやすくなる。
以上の構成によりなる折れ目付き竹串である。
【発明の効果】
【０００６】  一番は先端を折ると、のどにつかえる心配もないし、口元を汚すこともなくなる。
さらにいちいち皿の上にはずして食べる必要もない。
【図面の簡単な説明】
【０００７】
【図１】  本発明の側面図である。
【発明を実施するための形態】
【０００８】  以下、本発明の実施の形態について説明する。
従来の竹、または木の串、さらに持ち手の付いた竹、または木の串に数カ所に切れ目を入れ、食べたあとに切れ目の所を折れば食べやすくなる。
【符号の説明】
【０００９】    １  串本体
２ａ  折り目
２ｂ  折り目
３  持ち手
【図１】
2020006123.tif 000003
【図２】
2020006123.tif 000004
【手続補正書】
【提出日】平成30年10月24日(2018.10.24)
【手続補正１】
【補正対象書類名】明細書
【補正対象項目名】０００７
【補正方法】変更
【補正の内容】
【０００７】
【図１】  本発明の側面図である。
【図２】  本発明の他の実施例を示した側面図である。
(57)【要約】【課題】  便座に座る時、臀部の皮膚が便座に接触する事で、便座使用時の、抵抗感や非清潔感があり、又衛生面からも、皮膚の非接触でトイレが済ませる、便座の開発が課題である。【解決手段】  トイレを使用する時、ズボンを緩め、、パンツと一緒に、臀部の下に敷き座る又ズボンを下げ、パンツのみを、臀部の下に敷き座る等、により、皮膚接触が無い状態で、トイレが使用できる便座である、男性の場合はペニスをパンツの下側にして座る事で尿の飛散防止を図る、この便座の特徴はパンツの広がる位置と範囲を段差で示し、この段差からはみ出た臀部の皮膚が接触しにくいように５ｍｍ下げた形状の段差付き便座である。【選択図】図１
2020006122.tif 000002
【特許請求の範囲】
【請求項１】
トイレを使用する時、ズボンを緩め、パンツと一緒に、臀部の下に敷き座る、又ズボンを下げ、パンツのみを、臀部の下に敷き座る等、により、皮膚接触が無い状態で、トイレが使用できる便座である、男性の場合はペニスをパンツの下側にして座る事で尿の飛散防止を図る、この便座の特徴はパンツの広がる位置と範囲を段差で示し、この段差からはみ出た臀部の皮膚が接触しにくいように５ｍｍ下げた形状の段差付き便座である。
【請求項２】
現在使用されている平坦な便座面の先端から、半分を５ｍｍ高くして段差のある一体成型の便座を使用することで、トイレ使用時、この５ｍｍ段差のある形状からはみ出た、臀部の一部の皮膚が接触しにくい形状を特徴とする皮膚非接触便座。
【発明の詳細な説明】
【技術分野】
【０００１】  本発明は臀部の皮膚非接触便座に関するものである。
【背景技術】
【０００２】  不特定多数の人が使用する便座、水分や、ほこりが着いた便座、冬季の冷たい便座、等、使用時の抵抗感を払拭する便座の解決が必要、特に衛生面からも、不特性多数の人が使用する便座の皮膚接触には、大きな抵抗感がある。
【発明の概要】
【発明が解決しようとする課題】
【０００３】  便座に座る時、臀部の皮膚が便座に接触する事で、便座使用時の、抵抗感や非清潔感があり、又衛生面からも、皮膚の非接触でトイレが済ませる、便座の開発が課題である。
【課題を解決するための手段】
【０００４】  トイレを使用する時、ズボンを緩め、、パンツと一緒に、臀部の下に敷き座る又ズボンを下げ、パンツのみを、臀部の下に敷き座る等、により、皮膚接触が無い状態で、トイレが使用できる便座である、男性の場合はペニスをパンツの下側にして座る事で尿の飛散防止を図る、この便座の特徴はパンツの広がる位置と範囲を段差で示し、この段差からはみ出た臀部の皮膚が接触しにくいように５ｍｍ下げた形状の段差付き便座である。
【発明の効果】
【０００５】  テスト品は５ｍｍ厚の合板で製作して３点支持の、両面接着で固定して、日々トイレでの効果を，家族で確認した結果は、別に問題なく簡単に使用出来た、この使用方法は，私個人では、既に長く、実行しており、実績のある方法であり、日々の便座の、使用方法と、大きく変わることなく、ズボンと、パンツを下げ、臀部の下に、敷くだけで、臀部の皮膚非接触で、トイレが使用でき、不特定多数の人が使用している便座の、抵抗感や、非清潔感、及び衛生面での、不安等が消えて気持ちの良い、トイレの使用が出来、又この便座は現行のパンツを臀部の下に敷かない方法でも、現行通り使用が出来る。
【図面の簡単な説明】
【０００６】
【図１】  臀部の皮膚非接触便座の全体図
【発明を実施するための形態】
【０００７】  トイレを使用する時、ズボンを緩め、、パンツと一緒に、臀部の下に敷き座る又ズボンを下げ、パンツのみを、臀部の下に敷き座る等、により、皮膚接触が無い状態で、トイレが使用できる便座である、男性の場合はペニスをパンツの下側にして座る事で尿の飛散防止を図る、この便座の特徴は５のパンツの広がる位置と範囲を段差で示しこの段差からはみ出た臀部の皮膚が接触しにくいように５ｍｍ下げた形状の段差付き便座である。
【符号の説明】
【０００８】    １    タンク
２    蓋
３    便器本体
４    便座
５    臀部の皮膚非接触便座
【図１】
2020006122.tif 000003
(57)【要約】【課題】  従来より、風呂場で体洗いに使ったタオルの石鹸カスの濯ぎは、湯おけにお湯を溜め、何回も濯ぎ洗いを繰り返しており、大量のお湯と時間を費やしていた。本発明は体を洗った後のタオルに含んだ石鹸カスを少量のお湯と時間で洗い落とすタオルの石鹸カス濯ぎ具を提供する。【解決手段】  タオル止め用クリップと滑り止め用クリップをクリップ連結ベルトでつなぎ、タオル止め用クリップの保持部分内側に複数のタオル保持用突起を設け、タオル止め用クリップと滑り止め用クリップの開口取って部分にクリップ開口用滑り止めシートを設け、クリップ連結ベルトを滑り止め用クリップに固定の際、もう一方のタオル止め用クリップ側がクリップ連結ベルトの曲げ反発力で浮き上がるように固定することを特徴とするタオルの石鹸カス濯ぎ具。【選択図】図１
2020006121.tif 000002
【特許請求の範囲】
【請求項１】
タオル止め用クリップと滑り止め用クリップをクリップ連結ベルトでつなぎ、タオル止め用クリップの保持部分内側に複数のタオル保持用突起を設け、タオル止め用クリップと滑り止め用クリップの開口取って部分にクリップ開口用滑り止めシートを設け、クリップ連結ベルトを滑り止め用クリップに固定の際、もう一方のタオル止め用クリップ側がクリップ連結ベルトの曲げ反発力で浮き上がるように固定したタオルの石鹸カスの濯ぎ具。
【発明の詳細な説明】
【技術分野】
【０００１】  本発明は、風呂場で使用するタオルの石鹸カス濯ぎに関するものである。
【背景技術】
【０００２】  従来、風呂場で体洗いに使ったタオルの石鹸カスの濯ぎは、湯おけに湯を溜め、湯おけの中で濯ぎ洗いを行っていた。又、特許文献１ではタオルに含んだ石鹸カスの除去具が知られていた。
【先行技術文献】
【特許文献】
【０００３】
【特許文献１】特開平９−３２７５９４号公報
【発明の概要】
【発明が解決しようとする課題】
【０００４】  従来より、風呂場で体洗いに使ったタオルの石鹸カスの濯ぎは、湯おけにお湯を溜め、何回も濯ぎ洗いを繰り返しており、大量のお湯と時間を費やしていた。又、湯おけ表面に石鹸カスが付着し、タオル同様濯ぎ洗いをしなければならなかった。特許文献１では、専用ホースから給水しなければならない問題があり、装置も大がかりなものであった。
本発明は、以上の問題点を解決するためになされたものである。
【課題を解決するための手段】
【０００５】  タオル止め用クリップと滑り止め用クリップをクリップ連結ベルトでつなぎ、タオル止め用クリップの保持部分内側に複数のタオル保持用突起を設け、タオル止め用クリップとすべり止め用クリップの開口取って部分にクリップ開口用滑り止めシートを設ける。クリップ連結ベルトは、滑り止め用クリップに折り曲げるように取り付け、タオル止め用クリップがシャワーヘッドから分離した際、クリップ連結ベルトの曲げ反発力でシャワーヘッドの真上に停止する様に取り付ける。
以上の構成よりなるタオルの石鹸カスの濯ぎ具。
【発明の効果】
【０００６】  従来、体洗いに使ったタオルの石鹸カスの濯ぎ洗いに大量のお湯と時間を費やしていたが、本発明によって少量のお湯と時間で洗い落とせる。又、湯おけも汚れず清潔である。
【図面の簡単な説明】
【０００７】
【図１】  本発明の斜視図
【図２】  本発明の使用状態を示す斜視図
【図３】  本発明の使用前の保管状態を示す斜視図
【図４】  本発明のタオル固定前の準備状態を示す斜視図
【図５】  本発明のタオル固定時の状態を示す斜視図
【発明を実施するための形態】
【０００８】  以下、本発明の実施の形態を説明する。
（イ）タオル止め用クリップ（１）と滑り止め用クリップ（２）をクリップ連結ベルト（４）でつなぎ、タオル止め用クリップ（１）の保持部分内側に複数のタオル保持用突起（３）を設け、タオル止め用クリップ（１）と滑り止め用クリップ（２）の開口取って部分に滑りにくいゴムシート状のクリップ開口用滑り止めシート（６）を強力な接着剤で貼り付ける。
（ロ）クリップ連結ベルト（４）は、滑り止め用クリップ（２）に折り曲げる様に取り付け、タオル止め用クリップ（１）がシャワーヘッド（ａ）から分離した際、クリップ連結ベルト（４）の曲げ反発力（ｄ）でシャワーヘッド（ａ）の真上に停止するように取り付ける。
クリップ連結ベルト（４）に関しては、薄い板状の形状で素材としては、柔軟性があり耐久性に優れたポリプロピレン等を使用する。クリップ連結ベルト（４）と滑り止め用クリップ（２）の固定は、クリップ連結ベルト（４）に複数の小穴を開け、滑り止め用クリップ（２）のリングバネ（５）のセンターにクリップ連結ベルト（４）の端を折り曲げる様に巻き付け、小穴に耐久性のある紐を通しリングバネ（５）に固定する。その際、クリップ連結ベルト（４）のもう一方のタオル止め用クリップ（１）側は、クリップ連結ベルト（４）の曲げ反発力（ｄ）で浮き上がるようにする。
本発明は、以上のような構造である。
【０００９】  本発明を使用するときは、タオル止め用クリップ（１）をシャワーヘッド（ａ）の先端側に、滑り止め用クリップ（２）を根本側に取り付け保管する。風呂場にて、体洗いに使ったタオルの石鹸カスを濯ぎ洗いする際、シャワーヘッド（ａ）から、タオル止め用クリップ（１）を取り外すとタオル止め用クリップ（１）はクリップ連結ベルト（４）の曲げ反発力（ｄ）でシャワーヘッド（ａ）の真上に停止する。石鹸カスを含んだタオル（ｂ）の片端をシャワーヘッド（ａ）の先端部に覆うように乗せ、タオル止め用クリップ（１）でシャワーヘッド（ａ）に挟み固定する。その際、タオル止め用クリップ（１）は、石鹸カスを含んだタオル（ｂ）の真上にあり、ワンタッチで固定することができる。且つタオル止め用クリップ（１）の保持部分内側には、複数のタオル保持用突起（３）が設けられており、滑りやすい石鹸カスを含んだタオル（ｂ）をしっかり固定できる。又、石鹸カス等で滑りやすくなっている手でもタオル止め用クリップ（１）の開口が容易にできる様、クリップ開口用滑り止めシート（６）が取り付けられている。
シャワーヘッド（ａ）に石鹸カスを含んだタオル（ｂ）を固定後、シャワーを噴出させると、図２の矢印で示された落下排水された石鹸カス（ｃ）のようにタオルから石鹸カスが流れ落ちていく。
この掛け流しの濯ぎ方式は、素早く石鹸カスをタオルから分離できることで、従来の湯おけでの溜め洗いに比較し、約１／４程度のお湯の使用量と時間短縮を図れるようになった。
【符号の説明】
【００１０】１  タオル止め用クリップ、２  滑り止め用クリップ、３  タオル保持用突起、４  クリップ連結ベルト、５  リングバネ、６  クリップ開口用滑り止めシート、
ａ  シャワーヘッド、ｂ  石鹸カスを含んだタオル、ｃ  落下排水された石鹸カス、ｄ  連結ベルトの曲げ反発力で上に浮き上がる、ｅ  下に押し下げタオルを固定、
【図１】
2020006121.tif 000003
【図２】
2020006121.tif 000004
【図３】
2020006121.tif 000005
【図４】
2020006121.tif 000006
【図５】
2020006121.tif 000007
(57)【要約】      （修正有）【課題】長時間運動可能で運動効果の高いぶら下がり健康器具の提供。【解決手段】支持脚１、１に固定された上部支持部材５押し上げ機６を設けた構造であり、利用者は支持脚の中に入り、両腕を上部支持部材の外側に出し、両手で押し上げ機を握る事により自身の体を支え、その状態で下半身の運動や両腕の運動を行う。【選択図】図１
2020006125.tif 000002
【特許請求の範囲】
【請求項１】
室内での子供ブランコや脚立の様な仕組みで、それぞれの支持脚、４脚で支えられた、超安全で安定した健康器具。
【請求項２】
内部に入って身体を手で押し上げて腋で安定させ支えるので女性でも高齢者でも誰もが簡単に１分以上できる体幹リラックスマシーンです。
【請求項３】
このマシーンは抜群の安定感があるので身体を押し上げた状態で跳んだりはねたり、揺すったり、捻ったりして体幹と関節と筋肉を同時にリラックスできる優れものの健康器具。
【発明の詳細な説明】
【技術分野】
【０００１】  本発明は、自分自身で行うリラックス健康器具に関する。
【背景技術】
【０００２】  従来の身体を浮かせる、ぶら下がり健康器具は、鉄棒に両手で持ってぶら下がるため、体重の重みで、ごくわずかしかぶら下がることができず効果が得られなかった。そして手の平にマメができ、その激痛に耐えることができなかった。それに安定感がない。
【先行技術文献】
【特許文献】
【０００３】
【特許文献１】特開平７−２１３６４７号  公報
【非特許文献】
【０００４】
【非特許文献１】松村  卓著「ゆるめる力骨ストレッチ」文藝春秋刊  ２０１５年
【発明の概要】
【発明が解決しようとする課題】
【０００５】  以上に述べた従来のぶら下がりでは、ほんの一部の人しか出来なかった。そして不安定だった。そして特許文献１の両腋を支持するぶら下がり健康器具は構造が複雑でそれに安定感がなく、はねたり揺すったりすることができないので、もっと多くのエクササイズができる器具がほしい。
【課題を解決するための手段】
【０００６】  そこで、本発明は上記課題を解決するため、脚立を基本としたブランコのような４脚の支持脚で安定して頑丈なしっかりした形でしかも安価でとてもシンプルなものを開発しました。
【発明の効果】
【０００７】本発明の健康器具は身体を押し上げる器具なので誰でもが簡単に楽に長時間、安全に使用することができるとともに、数種類のエクササイズで跳んだりはねたり揺すったりできるのであきることなく、楽しんですることができるのです。
【図面の簡単な説明】
【０００８】
【図１】  本発明の実施形態を示す、押し上げ式体幹リラックスマシーン図
【図２】  本発明で最も重要とされる、取りはずし式で伸宿自在な押し上げ部品の図
【図３】  使用後コンパクトに収納する図面
【図４】  体幹リラックスマシーンの正面図
【図５】  本発明の実施形態を示す鉄棒での体幹リラックスマシーンの側面図
【発明を実施するための形態】
【０００９】  以下、本発明の実施の形態を図面に基づいて説明する。
【００１０】  図においては、１は腋を支点にして両腕で身体を押し上げて浮かした状態で走ったり、跳んだり、揺すったりすることが、いとも簡単に誰もが１分ぐらいできる様に形成しました。２は中央に鉄棒をつけて、お腹でぶら下がれる様にして逆さまになってのエクササイズができる様に形成しました。
【実施例】
【００１１】  人間は立って生活していますから、首から背中、腰、膝、カカトまで自分自身の体の重みで負担がかかって誰もが疲労ぎみなので、本発明の体幹リラックスマシーンでリラックスすることができる。
【産業上の利用可能性】
【００１２】  疲労  解消は人間の根源的欲求故、あらゆる産業が虎視眈々とチャンスを狙ってくることでしょう。体幹リラックスマシーンは数分でリラックスでき、体の部位によってのエクササイズをすることによってその部位がリラックスでき疲労ビジネスの用途にも適用できる。
【符号の説明】
【００１３】  １  支持脚
２  蝶番
３  下部支持部材
４  鉄棒
５  上部支持部材
６  押し上げ機で伸縮自在
７  取り外し用足踏み部材
【図１】
2020006125.tif 000003
【図２】
2020006125.tif 000004
【図３】
2020006125.tif 000005
【図４】
2020006125.tif 000006
【図５】
2020006125.tif 000007